(57)【要約】【課題】  命名対象事物に関する情報（生年月日、名前、性別など）から、名称を構成する各々の名称構成要素（属性）について、最適なものを抽出し、抽出された各々の名称構成要素を組み合わせることにより、名称を作成する。【解決手段】  入力手段５として、入力画面と、文字情報等を入力するためのキーボードやマウスがあり、命名対象事物に関する情報を入力し、名称作成の指示をする。名称作成指示を受けると、入力した情報に基づいて、記憶手段４に格納されている名称構成要素候補管理手段により管理されている名称構成要素候補から最適な候補を抽出する。また、名称構成要素が文書と関連する場合は、文書を選択することが可能であり、文書を選択することにより、該文書から形態素解析により、文書を語に分割し、分割した語から名称構成要素として最適な語を抽出する。各名称構成要素について抽出した後、それらを結合して名称を作成し、表示手段６に結果画面を表示する。装置の構成によっては、結果画面上の印刷ボタン１２の押下により、所定のフォーマットで印刷することが可能である。【選択図】  図２
2005092512.tif 000002
【特許請求の範囲】
【請求項１】
１つ以上の名称構成要素に対して、名称構成要素毎に１つ以上の名称構成要素候補を管理する名称構成要素候補管理手段と、
名称作成対象の事物に関する情報を入力する命名対象情報入力手段と、
前記命名対象情報入力手段にて入力された情報に基づいて、名称構成要素毎に最適な名称構成要素候補を抽出する第１の名称構成要素候補抽出手段と、
前記第１の名称構成要素候補抽出手段にて抽出された１つ以上の名称構成要素候補を結合する名称構成要素候補結合手段と、
前記名称構成要素候補結合手段にて結合された名称候補を表示する名称候補表示手段とを有することを特徴とする名称作成支援装置。
【請求項２】
前記名称作成支援装置は、前記名称候補表示手段にて表示された名称候補を媒体に出力する出力手段を有することを特徴とする請求項１記載の名称作成支援装置。
【請求項３】
前記出力手段は、前記名称候補を印刷する印刷手段であることを特徴とする請求項２記載の名称作成支援装置。
【請求項４】
前記の名称構成要素候補管理手段は、１つの名称構成要素に対して、１つ以上の名称構成要素候補と前記名称構成要素候補の各々に対応する補助情報との管理を行う名称構成要素・補助情報管理手段を有することを特徴とする請求項１から３のいずれか１項に記載の名称作成支援装置。
【請求項５】
前記名称構成要素候補管理手段は、１つの名称構成要素に対して、名称構成要素に関する１つ以上の文書名称候補と前記文書名称候補の各々に対応する補助情報と、前記文書名称候補の各々に対応する文書の管理を行う文書名称候補・補助情報・文書管理手段を有することを特徴とする請求項１から４のいずれか1項に記載の名称作成支援装置。
【請求項６】
前記名称作成支援装置は、前記第１の名称構成要素候補抽出手段にて抽出された名称構成要素と、前記名称構成要素に対応する補助情報を表示する名称構成要素表示手段を有することを特徴とする請求項１から５のいずれか１項に記載の名称作成支援装置。
【請求項７】
前記名称作成支援装置は、前記命名対象情報入力手段にて入力された情報に基づいて、名称構成要素毎に最適な文書候補を抽出する文書名称候補抽出手段と、
前記文書名称候補抽出手段にて抽出された文書名称候補を表示する文書名称候補表示手段と、
文書名称候補を選択する文書名称候補選択手段と、
前記文書名称候補選択手段にて選択された文書名称に対応する文書を言語解析する言語解析手段と、
前記第１の名称構成要素候補抽出手段が前記言語解析手段により出力された結果を名称構成要素候補として抽出する第２の名称構成要素候補抽出手段とを有することを特徴とする請求項１から６のいずれか１項に記載の名称作成支援装置。
【請求項８】
１つ以上の名称構成要素に対して、名称構成要素毎に１つ以上の名称構成要素候補を管理する名称構成要素候補管理工程と、
名称作成対象の事物に関する情報を入力する命名対象情報入力工程と、
前記命名対象情報入力工程にて入力された情報に基づいて、名称構成要素毎に最適な名称構成要素候補を抽出する第１の名称構成要素候補工程と、
前記第１の名称構成要素候補抽出工程にて抽出された１つ以上の名称構成要素候補を結合する名称構成要素候補結合工程と、
前記名称構成要素候補結合工程にて結合された名称候補を表示する名称候補表示工程とを有することを特徴とする名称作成支援方法。
【請求項９】
前記名称作成支援方法は、前記名称候補表示工程にて表示された名称候補を媒体に出力する出力工程を有することを特徴とする請求項８記載の名称作成支援方法。
【請求項１０】
前記出力工程は、前記名称候補を印刷する印刷工程であることを特徴とする請求項９記載の名称作成支援方法。
【請求項１１】
前記の名称構成要素候補管理工程は、１つの名称構成要素に対して、１つ以上の名称構成要素候補と前記名称構成要素候補の各々に対応する補助情報との管理を行う名称構成要素・補助情報管理工程を有することを特徴とする請求項８から１０のいずれか１項に記載の名称作成支援方法。
【請求項１２】
前記名称構成要素候補管理工程は、１つの名称構成要素に対して、名称構成要素に関する１つ以上の文書名称候補と前記文書名称候補の各々に対応する補助情報と、前記文書名称候補の各々に対応する文書の管理を行う文書名称候補・補助情報・文書管理工程を有することを特徴とする請求項８から１１のいずれか1項に記載の名称作成支援方法。
【請求項１３】
前記名称作成支援方法は、前記第１の名称構成要素候補抽出工程にて抽出された名称構成要素と、前記名称構成要素に対応する補助情報を表示する名称構成要素表示工程を有することを特徴とする請求項８から１２のいずれか１項に記載の名称作成支援方法。
【請求項１４】
前記名称作成支援方法は、前記命名対象情報入力工程にて入力された情報に基づいて、名称構成要素毎に最適な文書候補を抽出する文書名称候補抽出工程と、
前記文書名称候補抽出工程にて抽出された文書名称候補を表示する文書名称候補表示工程と、
文書名称候補を選択する文書名称候補選択工程と、
前記文書名称候補選択手段にて選択された文書名称に対応する文書を言語解析する言語解析工程と、
前記第１の名称構成要素候補抽出工程が前記言語解析工程により出力された結果を名称構成要素候補として抽出する第２の名称構成要素候補抽出工程とを有することを特徴とする請求項８から１３のいずれか１項に記載の名称作成支援方法。
【請求項１５】
請求項８から１４のいずれか１項に記載の名称作成支援方法をコンピュータに実行させるための名称作成支援プログラム。
【請求項１６】
請求項１５に記載の名称作成支援プログラムを格納したコンピュータが読取可能な記憶媒体。
【請求項１７】
負荷分散の目的のために、請求項１から７に記載の名称作成支援装置が有する前記手段の少なくとも１つの手段を有するサーバ機器と、
請求項１から７に記載の名称作成支援装置から、前記サーバ機器が有する手段を除いた名称作成支援装置とを、
相互に情報の通信を行うことが可能な相互通信手段にて接続した名称作成支援システム。
【発明の詳細な説明】
【技術分野】
【０００１】
本発明は、入力された命名対象事物の情報に基づいて新しい名称を作成する名称作成支援装置、名称作成支援システム、名称作成支援方法、名称作成支援プログラム、及び名称作成支援プログラムを格納した記憶媒体に関する。
【背景技術】
【０００２】
一般的に、事物に対して名称を発想、或いは作成する場合、その人間の有する様々な経験から、「親しみ易い」、「覚え易い」、「事物の特徴を端的に捉えている」等の特徴を有する名称が発想、作成される。しかしながら、人間による発想は、その場限りの思いつきであったり、個人の経験に左右したりすることが多く、的確で、かつ効果的な名称を発想、作成するのが困難であった。
上記問題を解決する名称の発想、作成について従来の技術として、事物のネーミングにおける人間の発想を効果的に支援するネーミング発想支援システムに関する発明がある（特許文献１参照）。
【特許文献１】特開平５−２８２３５７号公報
【発明の開示】
【発明が解決しようとする課題】
【０００３】
しかしながら、単一の名称を作成する場合には、従来の名称作成の技術は有効であるが、作成すべき名称が複数の属性を有し、それらの属性を組み合わせて名称を作成する技術を有していなかった。
また、従来の装置の構成では、より多くのユーザーが気軽に装置を利用することは難しかった。
【０００４】
本発明は上記事情を鑑みてなされたものであり、命名対象事物に関する情報（生年月日、名前、性別など）から、名称を構成するの各々の名称構成要素について、最適なものを抽出し、抽出された各々の名称構成要素を組み合わせることにより、名称を作成する名称作成支援装置、名称作成支援システム、名称作成支援方法、名称作成支援プログラム、及び名称作成支援プログラムを格納した記憶媒体を提供することを目的とする。
【課題を解決するための手段】
【０００５】
前記課題を解決するために、請求項１記載の発明は、１つ以上の名称構成要素に対して、名称構成要素毎に１つ以上の名称構成要素候補を管理する名称構成要素候補管理手段と、名称作成対象の事物に関する情報を入力する命名対象情報入力手段と、前記命名対象情報入力手段にて入力された情報に基づいて、名称構成要素毎に最適な名称構成要素候補を抽出する第１の名称構成要素候補抽出手段と、前記第１の名称構成要素候補抽出手段にて抽出された１つ以上の名称構成要素候補を結合する名称構成要素候補結合手段と、前記名称構成要素候補結合手段にて結合された名称候補を表示する名称候補表示手段とを有することを特徴とする。
【０００６】
請求項２記載の発明は、前記名称作成支援装置は、前記名称候補表示手段にて表示された名称候補を媒体に出力する出力手段を有することを特徴とする。
【０００７】
請求項３記載の発明は、前記出力手段は、前記名称候補を印刷する印刷手段であることを特徴とする。
【０００８】
請求項４記載の発明は、前記の名称構成要素候補管理手段は、１つの名称構成要素に対して、１つ以上の名称構成要素候補と前記名称構成要素候補の各々に対応する補助情報との管理を行う名称構成要素・補助情報管理手段を有することを特徴とする。
【０００９】
請求項５記載の発明は、前記名称構成要素候補管理手段は、１つの名称構成要素に対して、名称構成要素に関する１つ以上の文書名称候補と前記文書名称候補の各々に対応する補助情報と、前記文書名称候補の各々に対応する文書の管理を行う文書名称候補・補助情報・文書管理手段を有することを特徴とする。
【００１０】
請求項６記載の発明は、前記名称作成支援装置は、前記第１の名称構成要素候補抽出手段にて抽出された名称構成要素と、前記名称構成要素に対応する補助情報を表示する名称構成要素表示手段を有することを特徴とする。
【００１１】
請求項７記載の発明は、前記名称作成支援装置は、前記命名対象情報入力手段にて入力された情報に基づいて、名称構成要素毎に最適な文書候補を抽出する文書名称候補抽出手段と、前記文書名称候補抽出手段にて抽出された文書名称候補を表示する文書名称候補表示手段と、文書名称候補を選択する文書名称候補選択手段と、前記文書名称候補選択手段にて選択された文書名称に対応する文書を言語解析する言語解析手段と、前記第１の名称構成要素候補抽出手段が前記言語解析手段により出力された結果を名称構成要素候補として抽出する第２の名称構成要素候補抽出手段とを有することを特徴とする。
【００１２】
請求項８記載の発明は、１つ以上の名称構成要素に対して、名称構成要素毎に１つ以上の名称構成要素候補を管理する名称構成要素候補管理工程と、名称作成対象の事物に関する情報を入力する命名対象情報入力工程と、前記命名対象情報入力工程にて入力された情報に基づいて、名称構成要素毎に最適な名称構成要素候補を抽出する第１の名称構成要素候補工程と、前記第１の名称構成要素候補抽出工程にて抽出された１つ以上の名称構成要素候補を結合する名称構成要素候補結合工程と、前記名称構成要素候補結合工程にて結合された名称候補を表示する名称候補表示工程とを有することを特徴とする。
【００１３】
請求項９記載の発明は、前記名称作成支援方法は、前記名称候補表示工程にて表示された名称候補を媒体に出力する出力工程を有することを特徴とする。
【００１４】
請求項１０記載の発明は、前記出力工程は、前記名称候補を印刷する印刷工程であることを特徴とする。
【００１５】
請求項１１記載の発明は、前記の名称構成要素候補管理工程は、１つの名称構成要素に対して、１つ以上の名称構成要素候補と前記名称構成要素候補の各々に対応する補助情報との管理を行う名称構成要素・補助情報管理工程を有することを特徴とする。
【００１６】
請求項１２記載の発明は、前記名称構成要素候補管理工程は、１つの名称構成要素に対して、名称構成要素に関する１つ以上の文書名称候補と前記文書名称候補の各々に対応する補助情報と、前記文書名称候補の各々に対応する文書の管理を行う文書名称候補・補助情報・文書管理工程を有することを特徴とする。
【００１７】
請求項１３記載の発明は、前記名称作成支援方法は、前記第１の名称構成要素候補抽出工程にて抽出された名称構成要素と、前記名称構成要素に対応する補助情報を表示する名称構成要素表示工程を有することを特徴とする。
【００１８】
請求項１４記載の発明は、前記名称作成支援方法は、前記命名対象情報入力工程にて入力された情報に基づいて、名称構成要素毎に最適な文書候補を抽出する文書名称候補抽出工程と、前記文書名称候補抽出工程にて抽出された文書名称候補を表示する文書名称候補表示工程と、文書名称候補を選択する文書名称候補選択工程と、前記文書名称候補選択手段にて選択された文書名称に対応する文書を言語解析する言語解析工程と、前記第１の名称構成要素候補抽出工程が前記言語解析工程により出力された結果を名称構成要素候補として抽出する第２の名称構成要素候補抽出工程とを有することを特徴とする。
【００１９】
請求項１５記載の名称作成支援プログラムは、請求項８から１４のいずれか１項に記載の名称作成支援方法をコンピュータに実行させることを特徴とする。
【００２０】
請求項１６記載のコンピュータが読取可能な記憶媒体は、請求項１５記載の名称作成支援プログラムを格納することを特徴とする。
【００２１】
請求項１７記載の名称作成支援システムは、負荷分散の目的のために、請求項１から７に記載の名称作成支援装置が有する前記手段の少なくとも１つの手段を有するサーバ機器と、請求項１から７に記載の名称作成支援装置から、前記サーバ機器が有する手段を除いた名称作成支援装置とを、相互に情報の通信を行うことが可能な相互通信手段にて接続したことを特徴とする。
【発明の効果】
【００２２】
本発明によれば、入力手段から入力された命名対象事物に関する情報に基づいて、名称構成要素毎の候補から最適な名称構成要素候補を抽出し、結合し、名称を作成することが可能となる。
【発明を実施するための最良の形態】
【００２３】
本発明を考案した時点で、機器の処理スピードや記憶領域の大きさ等を考慮すると、単体で動作する名称作成支援装置としては、プリンタ装置と接続されているパーソナルコンピュータやワークステーションのような機器上で動作する名称作成支援装置が好ましい。
また、名称作成支援システムとしては、ＰＤＡのような小型の携帯端末や携帯電話等でも本発明を享受できるように、端末側（クライアント側）では入出力だけを行い、名称作成の処理をサーバで行うクライアント・サーバシステムや、インターネット回線を通じてクライアントからサーバにアクセスするＷｅｂシステムとして、名称作成支援システムを構成するのが好ましい。
【実施例】
【００２４】
次に、添付図面を参照しながら、本発明の実施形態を説明する。
図１は、本発明の実施形態である名称作成支援装置の内部構成図である。
名称作成支援装置１は、装置全体を制御するＣＰＵ２と、制御のために必要となるデータやプログラム等を一時的に格納するＲＡＭ３と、データやプログラム等を記憶する記憶手段４と、命名対象情報を入力する入力手段５と、作成された名称の候補等を表示する表示手段６とを有する。
例えば、前記名称作成支援装置として、パーソナルコンピュータを用いる場合は、前記記憶手段４として、主にＣＰＵ２等のハードウェア寄りの制御を行うプログラム等を格納するＲＯＭ、名称作成支援のためのプログラムやプログラム実行に必要なデータを格納するハードディスク等の磁気記憶媒体やＣＤ−ＲＯＭ等の光学メディアが考えられる。また、前記入力手段５としては、キーボードやマウスが考えられる。また、前記表示手段６としては、ＣＲＴが考えられる。
他にも、前記名称作成支援装置として、ＰＤＡのような小型携帯端末や携帯電話等も考えられる。
【００２５】
記憶手段４には、ＣＰＵ２を制御するプログラムおよび名称構成要素毎の名称候補および文書名称、前記文書名称に対応する文書、これらに対する補助情報が記憶されている。ＲＡＭ３には、入力手段５により入力された生年月日、性別などの命名対象情報、選択された名前候補情報およびＣＰＵ２が演算した演算結果等を一時的に記憶するようになっている。例えば、名前構成要素として位号の名前候補を出力する場合は、ＣＰＵ２は入力された生年月日、性別などの条件をＲＡＭ３に記憶し、入力された命名対象情報に対応した位号を記憶手段４から読み出し、表示手段６に出力する。
なお、図１に示す名称作成支援装置の構成は、本発明の実施形態としては、最も簡易な構成であり、単独の環境で動作が可能である。
【００２６】
図２は、本発明の実施形態である出力手段を有する名称作成支援装置の内部構成図である。
名称作成支援装置１は、装置内部に外部機器インターフェース７を有し、外部機器と相互データ通信を行うことが可能である。
図２に示す例では、プリンタ８が接続されており、例えば、外部機器インターフェース７は、専用シリアルバスである。また、例えば、プリンタ８がネットワーク対応プリンタである場合は、外部機器インターフェース７は、ＬＡＮ（Local Area Network）インターフェースである。
図２に示す構成により、名称作成支援装置１からの印刷要求により、名称候補のリストが印字出力される。
なお、出力手段として、本実施形態ではプリンタによる印字出力の手段を一例としてあげているが、他にもファイル出力による保存手段等も考えられる。
【００２７】
図３は、本発明の実施形態である名称作成支援システムのネットワーク構成図である。
図３に示すネットワーク構成は、現状で考え得る最も広域なネットワーク環境であるインターネットの環境に本発明を適用したものである。
すなわち、クライアントである名称作成支援装置１（ＰＣ、ノートＰＣ、ＰＤＡ、携帯電話等）は、外部コンピュータにアクセスするための通信手段を有する。また、ＣＰＵ２、ＲＡＭ３、記憶手段４の一部の機能をサーバに配置する。
【００２８】
例えば、前記名称作成支援装置１からインターネットを介してサーバにアクセスすることにより、前記サーバから入力画面が送信される。入力画面は、ＨＴＭＬ形式（またはＨＴＭＬと同等の形式）であったり、Ｊａｖａ（Ｒ）アプレットであったりする。
前記名称作成支援装置１は、入力手段により、命名対象情報を入力し、前記サーバに送信する。前記サーバは、受信した命名対象情報に基づいて名称作成を行い、その結果を前記画像形成装置へ送信する。結果を受信した前記名称作成支援装置１は、表示手段に結果を表示する。また、前記名称作成支援装置１が、印字出力可能なものである場合は、結果をプリンタに出力することが可能である。
【００２９】
上記例は、本発明に係る名称作成支援の中心となる機能をサーバ上で実現し、クライアントである名称作成支援装置では、入出力のみを実現しているが、他にも、例えば、Ｊａｖａ（Ｒ）アプレットとして動作する名称作成支援プログラムをサーバ上に格納し、クライアント側では、前記名称作成支援プログラムをダウンロードし、記憶手段に保存することにより、クライアント側でも単独で動作が可能となる。
このように、システム動作の負荷分散の方法は、幾つか考えられる。
【００３０】
図４は、本発明の一実施例である名称作成支援装置における名称構成要素について説明した図である。
本発明の実施例として、複数の名称構成要素からなる名称として仏名（仏名は、宗派によって呼び方が異なり、戒名、法名、法号と呼ぶこともある。）を例に名称作成を行う場合について説明する。まず、仏名の説明を交えながら本発明の概要について説明する。
仏名は一般に、院号、道号、戒名、位号から構成される。これらをまとめて戒名という場合もあるが、本発明における説明では、全体を仏名として説明する。
すなわち、仏名が名称作成支援装置にて作成される名称に相当し、院号、道号、戒名、位号が、名称構成要素である。
名称構成要素候補管理手段には、院号、道号、戒名、位号等の名称構成要素毎に、名称構成要素の候補、文書名称候補、前記文書名称候補に当該する文書、これらの補助情報が管理されている。
【００３１】
ここで、文書名称候補と、前記文書名称候補に当該する文書について、具体例をあげて説明する。
本実施例では、仏名（名称）における戒名（名称構成要素）を作成する際に、前記文書名称候補と、前記文書候補に当該する文書が必要となる。すなわち、戒名とは、法典（例えば、般若心経や法華経などのお経）から一字を引用し、人物（命名対象事物）の名前の一字と対句にすることにより作成している。
つまり、ここでいう文書名称候補とは、法典の名称であり、文書とは法典（お経）の内容である。
【００３２】
図４（ａ）は、名称構成要素の一例である位号について、名称構成要素候補の管理手段を示している。
位号は、性別及び年齢により、どの位号を付与するかが決まる。そのため、性別と年齢枠を補助情報とし、例えば、図に示すようなリストで管理されている。
図４（ｂ）は、名称構成要素の一例である戒名について、文書名称候補の管理手段を示している。
戒名は、上記説明のように、法典から引用するため、補助情報として宗派を設定し、文書名称を、名称構成要素を作成するための候補とする（図４（ｂ−１）参照）。また、前記文書名称と紐付けされた文書（法典、お経）も管理される（図４（ｂ−２）参照）。
【００３３】
図５は、本発明の一実施例である名称作成支援装置の動作フローチャートである。
名称作成支援装置を起動させると、表示手段に命名対象情報の入力画面（図７参照）が表示され（ステップＳ１）、キーボードやマウス等を用いて命名対象情報の入力を行う（ステップＳ２）。
命名対象情報としては、氏名、性別、生年月日、没年月日がある（図７（ａ）参照）。その他にも、地名、宗派、趣味、特技、性格、職業、好きな言葉、業績、雅号、俳号、家名などが考えられる（図７（ｂ）参照）。
命名対象情報が複数ある場合は、これらを順次入力していく。氏名、性別、生年月日は必須の入力項目であるが、仏名は、死者に限らず、本来は仏門に入門する時点で授かる名称であるため、没年月日が入力されていない場合は、システム日付と生年月日から年齢を計算すればよいし、また仏門に入門した日付、もしくは入門予定の（未来の）日付を入力するなどという方法も考えられる。その他の命名対象情報も、必要に応じて入力すればよい。
【００３４】
これらの入力された命名対象情報は、入力画面の「名称作成」ボタンを押下することにより、ＲＡＭに記憶される。或いは、図３に示すようなシステムの場合は、サーバに命名対象情報が送信され、サーバのＲＡＭに記憶される。ＣＰＵは、入力された命名対象情報に基づいて、名称候補情報をＲＯＭから抽出する（ステップＳ３）。
例えば、名称構成要素として位号の名称候補情報を抽出する場合は、名称候補抽出手段が、命名対象情報として入力された生年月日「昭和５０年３月２日」、性別「男」、没年月日「昭和５８年７月６日」をキーにして、入力条件に適応する位号「童子、大童子、禅童子」を名称候補管理手段から抽出し、これらの情報を表示手段に表示する（ステップ４）。
名称の表示は、名称構成要素毎に表示情報を選択表示するようにしてもよいし、一度に全ての名称構成要素毎の名称候補が出力されるようにしてもよい。
【００３５】
更に、印刷の指示が行われた場合（ステップＳ５／Ｙｅｓ）、作成された名称をプリンタに出力する（ステップＳ６）。印刷の指示が行われなかった場合（ステップＳ５／Ｎｏ）は、ステップＳ７へ進む。
ステップＳ７で他の名称構成要素情報の表示を選択した場合（ステップＳ７／Ｙｅｓ）は、ステップＳ４へ進み、他の名賞候補を表示する。名前候補情報の表示を終了する指定がなされた場合（ステップＳ７／Ｎｏ）は、本動作を終了する。
【００３６】
図６は、本発明の一実施例である名称作成支援装置の形態素解析による名称候補抽出の動作フローチャートである。
本発明に係る名称作成支援装置、或いは名称作成支援システムは、命名対象情報として、命名対象者の趣味や特技、性格、職業などの自由な言葉を入力することが可能であり、入力した命名対象情報等を、例えば、形態素解析の手法により解析し、解析した結果から、名称候補情報を抽出することが可能である。
名称作成支援装置を起動させると、表示手段に命名対象情報の入力画面（図７参照）が表示され（ステップＳ１１）、キーボードやマウス等を用いて命名対象情報の入力を行う（ステップＳ１２）。
【００３７】
以下、名称構成要素として戒名を名称候補情報として抽出する場合を例に説明する。
名称候補抽出手段が、命名対象情報として入力した宗派「曹洞宗」をもとに、条件に適応する文書名称「修証義、法華経、般若心経、・・・」等の経典名を名称候補管理手段から抽出し（ステップＳ１３）、抽出された経典名を表示手段に表示する（ステップＳ１４）。続いて、表示された経典名から１つ以上の経典を選択する（ステップＳ１５）。
【００３８】
経典を選択すると（ステップ１５）、選択された経典の文書の抽出を行い（ステップＳ１６）、文書の言語解析を行う（ステップＳ１７）。文書の言語解析では、文書に対して形態素解析を行い、切り出された語に対して、コストが付与される。
ここで、コストとは、名称候補の選ばれやすさを示すパラメータであり、語の意味や字画など語自体に由来して付与されるコスト、もしくは入力された命名対象情報に基づいて付与されるコスト等がある。
【００３９】
ここで、経典として「法華経」を選択し、命名対象情報として、「職業：気象予報士」と入力した場合を例に説明すると、法華経には、天体観測や気象に関連性の高い「雲、雷、光、風、雨、震、日、照、地」などという語が含まれており、これらの語が候補としてあがりやすいように、コストを付与する。
【００４０】
また、語自体に由来して付与されるコストとしては、次のような例がある。
戒名として、プラスイメージとなる語、例えば「善、清、智」などという語に対しては、コストを付与する。逆に、戒名として、いわゆるマイナスイメージである語、例えば「悪、地獄、闇、苦」などという語に対しては、コストを付与しないようにする。
【００４１】
また、経典の語に対して、付与するコストが複数ある場合は、その総和を取ることも可能である。
上記のように、付与されたコストが上位である語を抽出し、命名対象事物の名前（人名）の１文字と組み合わせて戒名を作成し、幾つかの候補を表示手段６に表示する（ステップＳ１８）。候補の表示は、選択された文書（経典）の言語解析結果を文書毎に表示するようにしてもよいし、一度に全ての文書の言語解析結果を出力するようにしてもよい。
更に、印刷の指示が行われた場合（ステップＳ１９／Ｙｅｓ）は、プリンタから出力する（ステップＳ２０）。印刷が可能な環境でない場合には、ファイルに出力するという手段も考えられる。
他にも文書（経典）を選択したい場合、すなわち他の候補を表示したい場合（ステップＳ２１／Ｙｅｓ）は、再度文書を選択し（ステップＳ１５）、同様の処理を行う。
他文書を選択しなかった場合（ステップＳ２１／Ｎｏ）は、本装置を終了する。
【００４２】
図７は、本発明の一実施例である名称作成支援装置の入力画面の例である。
図７（ａ）は、名前、性別、生年月日、没年月日などの命名対象事物に関する必須情報を入力する画面である。図のように情報を入力し、「次へ」ボタンをクリックすることにより、次の画面に遷移する。
すなわち、名前、性別、生年月日、没年月日だけで名称を作成するのであれば、次の遷移画面は名称候補が表示される結果画面である。
或いは、他にも入力する情報がある場合には、図７（ｂ）のような画面に遷移し、宗派や趣味、職業、業績等の命名対象事物に関する情報を入力することが可能であり、名称作成ボタン１１をクリックすることにより、結果画面が表示される。
なお、本図に示す入力画面はあくまで一例であり、入力情報の内容や、画面の設計方法により、画面の遷移なども異なる。
また、必須の入力情報も、作成したい名称により異なる。
【００４３】
図８は、本発明の一実施例である名称作成支援装置の結果画面の例である。
図８に示す例では、作成結果が一覧形式で５件ずつ表示される。例えば、１２件の結果がある場合は、「次の５件＞＞」ボタンが表示され、このボタンをクリックすることにより、６件目から１０件目までが表示される。
また、図には示さないが、作成結果を全て表示する「全件表示」ボタンを配置することも可能である。
印刷したい場合は、印刷したい仏名に対して、一覧表のチェックボタンにチェックを入れて、「印刷」ボタン１２をクリックすることにより、所定のフォーマット（図示しない）で印刷される。
命名対象事物に関する情報を変更し、再度仏名を作成したい場合は、「条件を変える」ボタン１３をクリックすることにより、図７に示す入力画面に戻り、条件を変更することが可能である。
本装置（システム）を終了したい場合は、「終了」ボタン１４をクリックすることにより、終了する。
なお、本図に示す結果画面はあくまで一例であり、一覧の表示内容や、各種動作のボタンを、使い方に応じてカスタマイズすることも可能である。
【００４４】
以上の説明から明らかなように、入力手段から入力された命名対象事物に関する情報に基づいて、名称構成要素毎の候補から最適な名称構成要素候補を抽出し、結合し、名称を作成することが可能となる。
【００４５】
また、名称構成要素に関する情報として文書が管理されていて、文書を形態素解析によって語に分割することにより、文書から名称構成要素としてふさわしい語を抽出、することが可能となる。例えば、本発明の実施例として取り上げた仏名を作成する場合には、「戒名」は、仏法に帰依した者の名として２文字を与えるもので、俗名から１字を取り、経典からふさわしい語を選んで付与することから、文書として経典を登録しておき、経典を言語解析した結果を名称候補として表示し、更にその補助情報も併せて表示すれば、より適切な名前を選択することが可能である。
【００４６】
また、本発明に係る手段を有するサーバを用いて、例えばインターネット回線を通じてＰＣや、ＰＤＡのような携帯型小型端末や、携帯電話等からサーバにアクセスすることによって利用できることにより、多くのユーザが本発明に係る名称作成を気軽に享受することが可能である。
【図面の簡単な説明】
【００４７】
【図１】本発明の実施形態である名称作成支援装置の内部構成図である。
【図２】本発明の実施形態である出力手段を有する名称作成支援装置の内部構成図である。
【図３】本発明の実施形態である名称作成支援システムのネットワーク構成図である。
【図４】本発明の一実施例である名称作成支援装置における名称構成要素について説明した図である。
【図５】本発明の一実施例である名称作成支援装置の動作フローチャートである。
【図６】本発明の一実施例である名称作成支援装置の形態素解析による名称候補抽出の動作フローチャートである。
【図７】本発明の一実施例である名称作成支援装置の入力画面の例である。
【図８】本発明の一実施例である名称作成支援装置の結果画面の例である。
【符号の説明】
【００４８】
１    名称作成支援装置
２    ＣＰＵ
３    ＲＡＭ
４    記憶手段
５    入力手段
６    表示手段
７    外部機器インターフェース
８    プリンタ機器
１１    名称作成ボタン
１２    印刷ボタン
１３    条件変更ボタン
１４    終了ボタン
【図１】
2005092512.tif 000003
【図２】
2005092512.tif 000004
【図３】
2005092512.tif 000005
【図４】
2005092512.tif 000006
【図５】
2005092512.tif 000007
【図６】
2005092512.tif 000008
【図７】
2005092512.tif 000009
【図８】
2005092512.tif 000010